(57)【要約】【課題】スイッチの小型化が図れ、誤作動を少なくすることができる多操作機能付きスイッチ装置を提供することを目的とする。【解決手段】ユーザが操作体ＳＴを用いて操作するプッシュスイッチ１１と、プッシュスイッチ１１が作動されたことを検知するプッシュ検出機構Ｐ１１と、プッシュスイッチ１１の周囲に配置された複数の静電容量検出電極１７と、静電容量検出電極１７の静電容量を検出する静電容量検出回路Ｃ１１と、プッシュ検出機構Ｐ１１の検出結果と静電容量検出回路Ｃ１１の出力する信号とから、複数種類の信号を出力する制御回路Ａ１１と、を備え、制御回路Ａ１１が、静電容量検出回路Ｃ１１の出力する信号から、操作体ＳＴの位置を検出し、制御回路Ａ１１が、プッシュ検出機構Ｐ１１の前記検出結果をトリガーとして、操作体ＳＴのプッシュスイッチ１１との位置により、複数種類の信号を出力することを特徴としている。【選択図】図１
2014154322.tif 000002
【特許請求の範囲】
【請求項１】
ユーザが操作体を用いて操作するプッシュスイッチと、
前記プッシュスイッチが作動されたことを検知するプッシュ検出機構と、
前記プッシュスイッチの周囲に配置された複数の静電容量検出電極と、
前記静電容量検出電極の静電容量を検出する静電容量検出回路と、
前記プッシュ検出機構の検出結果と前記静電容量検出回路の出力する信号とから、複数種類の信号を出力する制御回路と、を備え、
前記制御回路は、前記静電容量検出回路の出力する信号から、前記操作体の位置を検出し、
前記制御回路は、前記プッシュ検出機構の前記検出結果をトリガーとして、前記操作体の前記プッシュスイッチとの位置により、複数種類の信号を出力することを特徴とする多操作機能付きスイッチ装置。
【請求項２】
前記制御回路は、前記静電容量検出回路の出力の変化によって、近隣の前記操作体の移動方向を検出し、
前記プッシュスイッチが押された後に、前記プッシュ検出機構が前記プッシュスイッチが押されていないことを検知した時点からの所定時間内において、
前記制御回路は、前記移動方向を検出し、検出した前記移動方向から前記複数種類の信号を出力することを特徴とする請求項１に記載の多操作機能付きスイッチ装置。
【請求項３】
前記プッシュ検出機構が前記プッシュスイッチが押されたことを検知した後に、
前記静電容量検出回路が前記静電容量の検出を開始することを特徴とする請求項２に記載の多操作機能付きスイッチ装置。
【請求項４】
前記制御回路は、前記静電容量検出回路の出力の変化によって、近隣の前記操作体の存在方向を検出し、
前記プッシュ検出機構が前記プッシュスイッチが押されたことを検知した際に、
前記制御回路は、前記検知した時点からそれ以前の所定時間内において予め検出した前記存在方向から前記複数種類の信号を出力することを特徴とする請求項１に記載の多操作機能付きスイッチ装置。
【請求項５】
前記制御回路は、検出した前記位置から前記操作体の方向を検出し、
前記プッシュ検出機構が前記プッシュスイッチが押されたことを検知した前後の所定時間内において、
前記制御回路は、前記方向を検出し、検出した前記方向から前記複数種類の信号を出力することを特徴とする請求項１に記載の多操作機能付きスイッチ装置。
【請求項６】
前記静電容量検出電極は、４つであることを特徴とする請求項１ないし請求項５のいずれかに記載の多操作機能付きスイッチ装置。
【発明の詳細な説明】
【技術分野】
【０００１】
本発明は、携帯機器等の電子機器の操作に用いられるスイッチに関し、特に、多操作が可能な多操作機能付きスイッチ装置に関する。
【背景技術】
【０００２】
近年、電子機器の高機能化に伴って、１つのスイッチ装置に対して、多くの操作が可能なスイッチ装置が求められてきた。
【０００３】
このような多操作が可能なスイッチ装置として、特許文献１では、図１９に示すように、静電容量の変化を検出する方式の静電容量型入力デバイス９００が提案されている。図１９は、従来例の静電容量型入力デバイス９００を模式的に示す一部切り欠き斜視説明図である。図１９に示す静電容量型入力デバイス９００は、複数の電極９０２を備えた携帯電話の回路基板９０１と、この回路基板９０１に接着されてその複数の電極９０２を覆う操作パッドである誘電操作パッド９１０とを備え、この誘電操作パッド９１０を絶縁性の成形材料により成形し、誘電操作パッド９１０に導電体である指が接触した場合に生じる静電容量の変化を電極９０２で検出することにより、携帯電話の入力デバイス、具体的にはカーソルキーとしている。
【先行技術文献】
【特許文献】
【０００４】
【特許文献１】特開２０１０−２７７９１４号公報
【発明の概要】
【発明が解決しようとする課題】
【０００５】
しかしながら、従来例のような静電容量型入力デバイス９００（スイッチ装置）を小型にしようとすると、複数の電極９０２の数を減らさなければいけなく、操作機能のバラエティーが減じられることとなる。一方、複数の電極９０２の数を減らさない場合は、電極９０２の電極面積を小さくて対応しなければいけなかった。このため、電極９０２の電極面積が小さい上に、隣り合う電極９０２同士の距離が狭くなるので、指が誘電操作パッド９１０に接触した場合に、隣り合う電極９０２同士の静電容量の変化を区別できず、誤動作が生じる虞があると言う課題があった。
【０００６】
本発明は、上述した課題を解決するもので、スイッチの小型化が図れ、誤作動を少なくすることができる多操作機能付きスイッチ装置を提供することを目的とする。
【課題を解決するための手段】
【０００７】
この課題を解決するために、本発明の多操作機能付きスイッチ装置は、ユーザが操作体を用いて操作するプッシュスイッチと、前記プッシュスイッチが作動されたことを検知するプッシュ検出機構と、前記プッシュスイッチの周囲に配置された複数の静電容量検出電極と、前記静電容量検出電極の静電容量を検出する静電容量検出回路と、前記プッシュ検出機構の検出結果と前記静電容量検出回路の出力する信号とから、複数種類の信号を出力する制御回路と、を備え、前記制御回路が、前記静電容量検出回路の出力する信号から、前記操作体の位置を検出し、前記制御回路が、前記プッシュ検出機構の前記検出結果をトリガーとして、前記操作体の前記プッシュスイッチとの位置により、複数種類の信号を出力することを特徴としている。
【０００８】
これによれば、本発明の多操作機能付きスイッチ装置は、プッシュスイッチの周囲に配置された複数の静電容量検出電極の静電容量を静電容量検出回路で検出し、その信号から操作体の位置を制御回路が検出することができる。そして、プッシュスイッチが押された検出結果をトリガーとして、制御回路がその時の操作体のプッシュスイッチとの位置を確実に検出することができる。このため、誤作動を少なくすることができて、検出結果とプッシュスイッチとの位置とを組み合わせて、適用される電子機器に複数種類の信号を出力することができる。これにより、複数種類の出力信号を用いることができ、適用される電子機器に複数の操作機能を付与することができる。したがって、スイッチを小さくしても、誤作動を少なくすることができる多操作機能付きスイッチ装置を提供することができる。
【０００９】
また、本発明の多操作機能付きスイッチ装置は、前記制御回路が、前記静電容量検出回路の出力の変化によって、近隣の前記操作体の移動方向を検出し、前記プッシュスイッチが押された後に、前記プッシュ検出機構が前記プッシュスイッチが押されていないことを検知した時点からの所定時間内において、前記制御回路が、前記移動方向を検出し、検出した前記移動方向から前記複数種類の信号を出力することを特徴としている。
【００１０】
これによれば、プッシュスイッチが押された後に、プッシュ検出機構がプッシュスイッチが押されていないことを検知した時点から所定時間内に、制御回路が移動方向を検出するので、プッシュスイッチが押された後に、操作体が移動した方向の判定が確実にできる。このことにより、スイッチを小さくしても、誤作動を少なくすることができて、その時の操作体の移動方向から、適用される電子機器に複数種類の信号を出力することができる。
【００１１】
また、本発明の多操作機能付きスイッチ装置は、前記プッシュ検出機構が前記プッシュスイッチが押されたことを検知した後に、前記静電容量検出回路が前記静電容量の検出を開始することを特徴としている。
【００１２】
これによれば、常時、静電容量検出回路を稼働させることがなく、通常、待機状態とすることができる。このことにより、多操作機能付きスイッチ装置の低消費電力化を図ることができる。
【００１３】
また、本発明の多操作機能付きスイッチ装置は、前記制御回路が、前記静電容量検出回路の出力の変化によって、近隣の前記操作体の存在方向を検出し、前記プッシュ検出機構が前記プッシュスイッチが押されたことを検知した際に、前記制御回路が、前記検知した時点からそれ以前の所定時間内において予め検出した前記存在方向から前記複数種類の信号を出力することを特徴としている。
【００１４】
これによれば、プッシュスイッチが押されたそれ以前の所定時間内において、制御回路がその時の操作体のプッシュスイッチとの位置を検出している。このため、その時の操作体が存在した存在方向を検出できるので、プッシュスイッチが押される前に、操作体が存在した方向の判定が確実にできる。このことにより、スイッチを小さくしても、誤作動を少なくすることができて、その時の操作体の存在方向から、適用される電子機器に複数種類の信号を出力することができる。
【００１５】
また、本発明の多操作機能付きスイッチ装置は、前記制御回路が、検出した前記位置から前記操作体の方向を検出し、前記プッシュ検出機構が前記プッシュスイッチが押されたことを検知した前後の所定時間内において、前記制御回路が、前記方向を検出し、検出した前記方向から前記複数種類の信号を出力することを特徴としている。
【００１６】
これによれば、プッシュスイッチが押された前後の所定時間内において、制御回路が操作体が存在した存在方向或いは移動した移動方向を検出できるので、プッシュスイッチが押された前後で、操作体が存在或いは移動した方向の判定が確実できる。このことにより、スイッチを小さくしても、誤作動を少なくすることができて、その時の操作体の存在方向或いは移動方向、または両者を組み合わせることから、適用される電子機器に複数種類の信号を出力することができる。
【００１７】
また、本発明の多操作機能付きスイッチ装置は、前記静電容量検出電極は、４つであることを特徴としている。
【００１８】
これによれば、プッシュスイッチの周辺における操作体の方向や移動方向がそれぞれ４つずつ判定できる。このため、その時の操作体の方向や移動方向から、適用される電子機器に複数種類の信号を出力することができる。このことにより、複数種類の出力信号を用いて、複数の操作機能を適用される電子機器に付与することができ、４つと少ない静電容量検出電極をプッシュスイッチの周辺に配置して、スイッチを小さくすることができる。
【発明の効果】
【００１９】
本発明の多操作機能付きスイッチ装置は、プッシュスイッチの周囲に配置された複数の静電容量検出電極の静電容量を静電容量検出回路で検出し、その信号から操作体の位置を制御回路が検出することができる。そして、プッシュスイッチが押された検出結果をトリガーとして、制御回路がその時のプッシュスイッチからの操作体の位置を確実に検出することができる。このため、誤作動を少なくすることができて、検出結果とプッシュスイッチとの位置とを組み合わせて、適用される電子機器に複数種類の信号を出力することができる。これにより、複数種類の出力信号を用いることができ、適用される電子機器に複数の操作機能を付与することができる。したがって、スイッチを小さくしても、誤作動を少なくすることができる多操作機能付きスイッチ装置を提供することができる。
【図面の簡単な説明】
【００２０】
【図１】本発明の第１実施形態の多操作機能付きスイッチ装置を説明する図であって、その構成を示した概念図である。
【図２】本発明の第１実施形態の多操作機能付きスイッチ装置におけるプッシュスイッチ部分の斜視説明図である。
【図３】本発明の第１実施形態の多操作機能付きスイッチ装置におけるプッシュスイッチ部分の説明図であって、図２に示すＺ１側から見た平面図である。
【図４】本発明の第１実施形態の多操作機能付きスイッチ装置におけるプッシュスイッチ部分の説明図であって、一部を切り欠いた斜視図である。
【図５】本発明の第１実施形態の多操作機能付きスイッチ装置におけるプッシュスイッチ部分の説明図であって、図４に示すＺ１側から絶縁基板を見た平面図である。
【図６】本発明の第１実施形態の多操作機能付きスイッチ装置におけるプッシュスイッチ部分の説明図であって、図３に示すＶＩ−ＶＩ線における断面図である。
【図７】本発明の第１実施形態の多操作機能付きスイッチ装置を説明する図であって、プッシュスイッチと静電容量検出電極を示した平面模式図である。
【図８】本発明の第２実施形態の多操作機能付きスイッチ装置を説明する図であって、その構成を示した概念図である。
【図９】本発明の第２実施形態の多操作機能付きスイッチ装置におけるプッシュスイッチの分解斜視図である。
【図１０】本発明の第２実施形態の多操作機能付きスイッチ装置におけるプッシュスイッチ部分の斜視説明図である。
【図１１】本発明の第２実施形態の多操作機能付きスイッチ装置におけるプッシュスイッチ部分の説明図であって、図１０に示すＺ１側から見た平面図である。
【図１２】本発明の第２実施形態の多操作機能付きスイッチ装置におけるプッシュスイッチ部分の説明図であって、図１０に示すＸＩＩ−ＸＩＩ線での断面図である。
【図１３】本発明の第２実施形態の多操作機能付きスイッチ装置におけるプッシュスイッチ部分の説明図であって、図１０に示すＺ１側から絶縁基板を見た上面図である。
【図１４】本発明の第２実施形態の多操作機能付きスイッチ装置におけるプッシュスイッチ部分の説明図であって、図１０に示すＺ２側から絶縁基板を見た底面図である。
【図１５】本発明の第２実施形態の多操作機能付きスイッチ装置を説明する図であって、プッシュスイッチと静電容量検出電極を示した平面模式図である。
【図１６】本発明の第３実施形態の多操作機能付きスイッチ装置を説明する図であって、その構成を示した概念図である。
【図１７】本発明の第２実施形態の多操作機能付きスイッチ装置を説明する図であって、プッシュスイッチと静電容量検出電極を示した平面模式図である。
【図１８】本発明の第１実施形態の多操作機能付きスイッチ装置の変形例１を説明する図であって、絶縁基板の平面図である。
【図１９】従来例の静電容量型入力デバイスを模式的に示す一部切り欠き斜視説明図である。
【発明を実施するための形態】
【００２１】
以下、本発明の実施の形態について図面を参照して説明する。
【００２２】
［第１実施形態］
図１は、本発明の第１実施形態の多操作機能付きスイッチ装置１０１を説明する図であって、その構成を示した概念図である。図２は、本発明の第１実施形態の多操作機能付きスイッチ装置におけるプッシュスイッチ１１の部分の斜視説明図である。図３は、本発明の第１実施形態の多操作機能付きスイッチ装置におけるプッシュスイッチ１１の部分の説明図であって、図２に示すＺ１側から見た平面図である。図４は、本発明の第１実施形態の多操作機能付きスイッチ装置におけるプッシュスイッチ１１の部分の説明図であって、一部を切り欠いた斜視図である。図５は、本発明の第１実施形態の多操作機能付きスイッチ装置におけるプッシュスイッチ１１の部分の説明図であって、図４に示すＺ１側から絶縁基板１９を見た平面図である。なお、説明を容易にするため、図５では、図４に示す絶縁層１６を省略している。図６は、本発明の第１実施形態の多操作機能付きスイッチ装置におけるプッシュスイッチ１１の部分の説明図であって、図３に示すＶＩ−ＶＩ線における断面図である。なお、説明を容易にするため、図２ないし図６では、プッシュスイッチ１１の部分のみを示しており、プッシュ検出機構Ｐ１１、静電容量検出回路Ｃ１１及び制御回路Ａ１１やこれらとの接続のための配線等を省略している。
【００２３】
本発明の第１実施形態の多操作機能付きスイッチ装置１０１は、図１に示すように、ユーザが操作体ＳＴを用いて操作するプッシュスイッチ１１と、プッシュスイッチ１１が作動されたことを検知するプッシュ検出機構Ｐ１１と、プッシュスイッチ１１の周囲に配置された複数の静電容量検出電極１７と、静電容量検出電極１７の静電容量を検出する静電容量検出回路Ｃ１１と、プッシュ検出機構Ｐ１１の検出結果と静電容量検出回路Ｃ１１の出力する信号とから、複数種類の信号を出力する制御回路Ａ１１と、を備えて構成される。
【００２４】
プッシュスイッチ１１は、図２ないし図４、及び図６に示すように、ドーム状の接点ばね１２と、接点ばね１２の周辺部と常接している周辺固定電極１３と、接点ばね１２と接離する中央固定電極１４と、接点ばね１２を保持して固定している保持シート１５と、から構成されている。
【００２５】
接点ばね１２は、ばね性と導電性とを有した金属板からなり、図６に示すように、プレス加工でドーム形状に形成され作製されている。また、接点ばね１２は、ユーザにより操作体ＳＴ（ここではユーザの指、図１に示す）を用いて、ドーム形状の頂点位置に当たる頂部が押圧されると、押圧された方向（図６に示すＺ２方向）に変形し、押圧から開放されるとばね性により元の形状に戻るようになっている。その際には、絶縁基板１９に設けられた中央固定電極１４と接離して、プッシュスイッチ１１のＯＮ／ＯＦＦを行っている。なお、本発明の第１実施形態では、操作体ＳＴとしてユーザの指を用いたが、スタイラス等であっても良い。
【００２６】
周辺固定電極１３及び中央固定電極１４は、図５に示すように、ガラス入りのエポキシ樹脂からなる絶縁基板１９上に、銅（Ｃｕ）等の金属箔を所望の形状にパターニングしたものである。また、周辺固定電極１３及び中央固定電極１４には、ＯＮ／ＯＦＦの信号を取り出すために、それぞれ取出配線１３ｐ及び取出配線１４ｐが接続されている。そして、接点ばね１２が載置されると、接点ばね１２の周辺部と周辺固定電極１３とが常接するようになる。この際に、図４に示す絶縁層１６が設けられているので、取出配線１４ｐと接点ばね１２の周辺部とが絶縁され、周辺固定電極１３と中央固定電極１４とが短絡せずに絶縁性が保たれる。
【００２７】
保持シート１５は、例えば、可撓性を有したＰＥＴ（Polyethylene terephthalate、ポリエチレンテレフタレート）等の透明な合成樹脂材料を基材として用いている。また、保持シート１５は、図６に示すように、保持シート１５の一面側に塗布された粘着剤（図示していない）により、接点ばね１２を保持するとともに、接点ばね１２の周辺部と周辺固定電極１３とが常接されるように固定し、絶縁基板１９に貼り付けられている。
【００２８】
プッシュ検出機構Ｐ１１は、取出配線１３ｐ及び取出配線１４ｐと電気的に接続され、プッシュスイッチ１１が押されたかプッシュスイッチ１１が押されていないかを検知するようになっている。また、プッシュ検出機構Ｐ１１の検出結果は、図１に示すように、プッシュ検出機構Ｐ１１に接続されている制御回路Ａ１１に対して送信される。
【００２９】
静電容量検出電極１７は、図４ないし図６に示すように、プッシュスイッチ１１の周囲に配置されており、本発明の第１実施形態では、上底が円弧状に形成された台形状の４つの静電容量検出電極（１７ａ、１７ｂ、１７ｃ、１７ｄ）を有している。静電容量検出電極１７は、周辺固定電極１３及び中央固定電極１４と同様に、ガラス入りのエポキシ樹脂からなる絶縁基板１９上に、銅（Ｃｕ）等の金属箔を所望の形状にパターニングしたものである。また、静電容量検出電極１７には、静電容量の信号を取り出すために、それぞれ取出配線１７ｊ、取出配線１７ｋ、取出配線１７ｍ、及び取出配線１７ｎが接続されている。
【００３０】
静電容量検出回路Ｃ１１は、集積回路（ＩＣ、Integrated Circuit）等を用いて構成されており、取出配線１７ｊ、取出配線１７ｋ、取出配線１７ｍ、及び取出配線１７ｎと電気的に接続されて、静電容量検出電極１７に生じる静電容量を検出している。例えば、ユーザの指（操作体ＳＴ）が静電容量検出電極１７ａ上に存在した場合、４つの静電容量検出電極（１７ａ、１７ｂ、１７ｃ、１７ｄ）のそれぞれに生じる静電容量は少しずつ異なった値として検出される。そして、この静電容量検出回路Ｃ１１での検出結果は、図１に示すように、制御回路Ａ１１に出力される。
【００３１】
制御回路Ａ１１は、図１に示すように、プッシュ検出機構Ｐ１１からの検出結果を受信するとともに、静電容量検出回路Ｃ１１から出力される信号を受信している。また、制御回路Ａ１１は、静電容量検出回路Ｃ１１から出力される信号を判断して、操作体ＳＴの位置を検出し、プッシュ検出機構Ｐ１１の検出結果をトリガーとして、操作体ＳＴのプッシュスイッチ１１との位置により、適用される電子機器に複数種類の信号を出力している。これにより、この複数種類の出力信号を用いて、適用される電子機器に複数の操作機能を付与することができる。
【００３２】
上述で説明してきた本発明の第１実施形態の多操作機能付きスイッチ装置１０１は、説明を容易にするため、プッシュスイッチ１１が１つで、プッシュスイッチ１１の周囲に複数の静電容量検出電極１７が配置された例をあげて説明したが、プッシュスイッチ１１が１つに限るものではなく、複数の場合も本発明の技術的範囲に属する。
【００３３】
次に、本発明の第１実施形態の多操作機能付きスイッチ装置１０１における信号出力方式について説明する。図７は、本発明の第１実施形態の多操作機能付きスイッチ装置を説明する図であって、プッシュスイッチ１１と静電容量検出電極１７を示した平面模式図である。
【００３４】
本発明の第１実施形態の多操作機能付きスイッチ装置１０１は、ユーザの指（操作体ＳＴ）によりプッシュスイッチ１１が押されると、接点ばね１２が中央固定電極１４に接触し、プッシュ検出機構Ｐ１１からプッシュスイッチ１１が押されたという検出結果が制御回路Ａ１１に送信される。そして、プッシュスイッチ１１が押されたという検出結果を受けて、制御回路Ａ１１は、静電容量検出回路Ｃ１１が静電容量の検出を開始するようにしている。
【００３５】
続いて、ユーザの指（操作体ＳＴ）がプッシュスイッチ１１から離されると、接点ばね１２が中央固定電極１４から離れて、プッシュ検出機構Ｐ１１からプッシュスイッチ１１が押されていないという検出結果が制御回路Ａ１１に送信される。
【００３６】
次に、ユーザの指（操作体ＳＴ）がプッシュスイッチ１１から離された後に、プッシュスイッチ１１から見たある方向、例えば、図７に示す方向ＸＹ１に、ユーザの指（操作体ＳＴ）が移動された場合（図７に示すＰ）、ユーザの指（操作体ＳＴ）と、静電容量検出電極１７ａ及び静電容量検出電極１７ｄとに生じる静電容量が大きく変化する。その際に、制御回路Ａ１１は、静電容量検出回路Ｃ１１から出力される信号を判断して、ユーザの指（操作体ＳＴ）の位置を検出し、プッシュスイッチ１１が押されていないことを検知した時点からの所定時間内において、ユーザの指（操作体ＳＴ）が移動した方向ＸＹ１（移動方向）を検出する。
【００３７】
最後に、検出した移動方向（図７では方向ＸＹ１）と予め記憶部に格納されていた情報とを対応させ、適用される電子機器にある命令信号を出力する。
【００３８】
図７に示す例では、方向ＸＹ１への移動方向の例を示したが、ユーザの指（操作体ＳＴ）が移動した位置で、他の方向ＹＹ１、方向ＹＸ１、方向ＸＸ１、方向ＸＹ２、方向ＹＹ２、方向ＹＸ２及び方向ＸＸ２と合わせた８通りの移動方向を確実に検出することができる。これにより、誤作動を少なくすることができて、適用される電子機器に８種類の命令信号を出力することができる。また、本発明の第１実施形態の多操作機能付きスイッチ装置１０１では、従来例の範囲の狭い特定位置を検出する場合と比較して、小型化が図られていても、確実に移動方向が検出できる構造となっている。これにより、スイッチを小さくしても、適用される電子機器に複数種類の信号を出力することができる。
【００３９】
以上により、本発明の第１実施形態の多操作機能付きスイッチ装置１０１は、プッシュスイッチ１１の周囲に配置された複数の静電容量検出電極１７の静電容量を静電容量検出回路Ｃ１１で検出し、その信号から操作体ＳＴの位置を制御回路Ａ１１が検出することができる。そして、プッシュスイッチ１１が押された検出結果をトリガーとして、制御回路Ａ１１がその時のプッシュスイッチ１１からの操作体ＳＴの位置を確実に検出することができる。このため、誤作動を少なくすることができて、検出結果とプッシュスイッチ１１との位置とを組み合わせて、適用される電子機器に複数種類の信号を出力することができる。これにより、複数種類の出力信号を用いることができ、適用される電子機器に複数の操作機能を付与することができる。したがって、スイッチを小さくしても、誤作動を少なくすることができる多操作機能付きスイッチ装置１０１を提供することができる。
【００４０】
また、プッシュ検出機構Ｐ１１がプッシュスイッチ１１が押されたことを検知した後に、プッシュスイッチ１１が押されていないことを検知した時点から所定時間内に、制御回路Ａ１１がその時の操作体ＳＴのプッシュスイッチ１１との位置を検出する。このため、操作体ＳＴの移動方向を検出できるので、プッシュスイッチ１１が押された後に、操作体ＳＴが移動した方向の判定が確実にできる。このことにより、スイッチを小さくしても、誤作動を少なくすることができて、その時の操作体ＳＴの移動方向から、適用される電子機器に複数種類の信号を出力することができる。
【００４１】
また、プッシュ検出機構Ｐ１１がプッシュスイッチ１１が押されたことを検知した後に、静電容量検出回路Ｃ１１が静電容量の検出を開始するので、常時、静電容量検出回路Ｃ１１を稼働させることがなく、通常、待機状態とすることができる。このことにより、多操作機能付きスイッチ装置１０１の低消費電力化を図ることができる。
【００４２】
また、静電容量検出電極１７は４つなので、プッシュスイッチ１１の周辺における操作体ＳＴの移動方向がそれぞれ４つずつ確実に判定できる。しかも、第１実施形態では、４つの静電容量検出電極（１７ａ、１７ｂ、１７ｃ、１７ｄ）を組み合わせることで、８つの移動方向を確実に判定できる。このため、その時の操作体ＳＴの移動方向から、適用される電子機器に８種類の信号を出力することができる。このことにより、８種類の出力信号を用いて、複数の操作機能を適用される電子機器に付与することができ、４つと少ない静電容量検出電極１７をプッシュスイッチ１１の周辺に配置して、スイッチを小さくすることができる。
【００４３】
［第２実施形態］
図８は、本発明の第２実施形態の多操作機能付きスイッチ装置１０２を説明する図であって、その構成を示した概念図である。図９は、本発明の第２実施形態の多操作機能付きスイッチ装置におけるプッシュスイッチ２１の分解斜視図である。図１０は、本発明の第２実施形態の多操作機能付きスイッチ装置におけるプッシュスイッチ２１の部分の斜視説明図である。図１１は、本発明の第２実施形態の多操作機能付きスイッチ装置におけるプッシュスイッチ２１の部分の説明図であって、図１０に示すＺ１側から見た平面図である。図１２は、本発明の第２実施形態の多操作機能付きスイッチ装置におけるプッシュスイッチ２１の部分の説明図であって、図１１に示すＸＩＩ−ＸＩＩ線における断面図である。図１３は、本発明の第２実施形態の多操作機能付きスイッチ装置におけるプッシュスイッチ２１の部分の説明図であって、図１０に示すＺ１側から絶縁基板２９を見た平面図である。図１４は、本発明の第２実施形態の多操作機能付きスイッチ装置におけるプッシュスイッチ２１の部分の説明図であって、図１０に示すＺ２側から絶縁基板２９を見た底面図である。なお、説明を容易にするため、図１０ないし図１４では、プッシュスイッチ２１の部分のみを示しており、プッシュ検出機構Ｐ２１、静電容量検出回路Ｃ２１及び制御回路Ａ２１やこれらとの接続のための配線等を省略している。また、第２実施形態の多操作機能付きスイッチ装置１０２は、第１実施形態に対し、プッシュスイッチ２１と静電容量検出電極２７の構成と信号出力方式が主に異なる。なお、第１実施形態と同一構成については、同一符号を付して詳細な説明は省略する。
【００４４】
本発明の第２実施形態の多操作機能付きスイッチ装置１０２は、図８に示すように、ユーザが操作体ＳＴを用いて操作するプッシュスイッチ２１と、プッシュスイッチ２１が作動されたことを検知するプッシュ検出機構Ｐ２１と、プッシュスイッチ２１の周囲に配置された複数の静電容量検出電極２７と、静電容量検出電極２７の静電容量を検出する静電容量検出回路Ｃ２１と、プッシュ検出機構Ｐ２１の検出結果と静電容量検出回路Ｃ２１の出力する信号とから、複数種類の信号を出力する制御回路Ａ２１と、を備えて構成される。
【００４５】
プッシュスイッチ２１は、図９ないし図１２に示すように、ドーム状の接点ばね２２と、接点ばね２２の周辺部と常接している周辺固定接点部２３と、接点ばね２２と接離する中央固定接点部２４と、周辺固定接点部２３及び中央固定接点部２４を収容する収容部２５Ｓを有する筐体２５と、ユーザによる押圧操作を受け接点ばね２２を下方（図９に示すＺ２方向）に押圧する駆動体２６と、筐体２５の上方（図９に示すＺ１方向）を覆うようにして配設されるカバー５５と、から構成されている。
【００４６】
接点ばね２２は、ばね性と導電性とを有した金属板からなり、図９及び図１２に示すように、プレス加工でドーム形状に形成され作製されている。また、接点ばね２２は、ユーザにより操作体ＳＴ（ここではユーザの指、図８に示す）を用いて、図９及び図１２に示す駆動体２６のボタン部２６ｔが押され、ドーム形状の頂点位置に当たる頂部が押圧されるようになる。そして、この押圧操作により押圧された方向（図１２に示すＺ２方向）に変形し（反転し）、この押圧操作から開放されるとばね性により元の形状に戻るようになっている。その際には、収容部２５Ｓに収容された中央固定接点部２４と接離して、プッシュスイッチ２１のＯＮ／ＯＦＦを行っている。
【００４７】
周辺固定接点部２３及び中央固定接点部２４は、導電性の金属材からなり、図９及び図１２に示すように、筐体２５の収容部２５Ｓの内底面に上面側が表出された状態で配設されている。周辺固定接点部２３及び中央固定接点部２４の筐体２５の収容部２５Ｓへの配設は、筐体２５の形成の際、インサート成形で同時に行われる。また、接点ばね２２が配設された際には、周辺固定接点部２３と接点ばね２２の周辺部とが常接するようになる。
【００４８】
筐体２５は、合成樹脂などの絶縁材料を用い、図９に示すように、内部に収容部２５Ｓを有する外形が方形状で上面が開口された箱形に形成されている。この収容部２５Ｓは、周辺固定接点部２３及び中央固定接点部２４が埋設された基部２５ｂと、この基部２５ｂの周辺から延接された４つの側壁２５ｗとから形成されている。そして、図１２に示すように、この収容部２５Ｓに接点ばね２２が載置され、駆動体２６の一部が収容される。
【００４９】
また、筐体２５の対向する側壁２５ｗには、図９及び図１２に示すように、周辺固定接点部２３から導出された接続端子２３ｔと、中央固定接点部２４から導出された接続端子２４ｔとが、それぞれ設けられており、図１１に示す取出配線２３ｐ及び取出配線２４ｐが接続されている。これにより、プッシュスイッチ２１のＯＮ／ＯＦＦの信号を取り出すことができる。
【００５０】
駆動体２６は、合成樹脂などの絶縁材料を用い、図９及び図１２に示すように、接点ばね１２の頂部を押圧する板状の基体２６ｋと、基体２６ｋの中央部から延出して設けられた円筒状のボタン部２６ｔとから構成されている。そして、駆動体２６は、基体２６ｋとボタン部２６ｔの一部が筐体２５の収容部２５Ｓが収容され、ユーザによる押圧操作により、上下（図１２に示すＺ方向）に駆動し、接点ばね２２の反転動作を促している。
【００５１】
カバー５５は、合成樹脂などの絶縁材料を用い、板状の中央部にボタン部２６ｔが挿通される孔５５ｈを有し、筐体２５の上方（図９に示すＺ１方向）を覆うようにして配設される。なお、筐体２５、駆動体２６及びカバー５５の作製は、合成樹脂を用いているので、射出成形法で容易に達成される。
【００５２】
プッシュ検出機構Ｐ２１は、取出配線２３ｐ及び取出配線２４ｐと電気的に接続され、プッシュスイッチ２１が押されたかプッシュスイッチ２１が押されていないかを検知するようになっている。また、プッシュ検出機構Ｐ２１の検出結果は、図８に示すように、プッシュ検出機構Ｐ２１に接続されている制御回路Ａ２１に対して送信される。
【００５３】
静電容量検出電極２７は、図１０ないし図１２に示すように、矩形状の形状をしており、プッシュスイッチ２１の周囲に複数個配置されて、ガラス入りのエポキシ樹脂からなる絶縁基板２９の一方面２９ｕと、一方面２９ｕとは反対側の他方面２９ｄとに形成されている。そして、絶縁基板２９の一方面２９ｕには、図１１、図１３及び図１４に示すように、複数の静電容量検出電極２７ａが連結部２８ａにより接続されて第１電極列２７ｐを形成し、第１電極列２７ｐが等間隔で並べられた第１電極群２７Ａが配設されている。同様にして、絶縁基板２９の他方面２９ｄには、図１１、図１３及び図１４に示すように、複数の静電容量検出電極２７ｂが連結部２８ｂにより接続されて第２電極列２７ｒを形成し、第２電極列２７ｒが等間隔で並べられた第２電極群２７Ｂが配設されている。また、絶縁基板２９の一方面２９ｕには、上述した取出配線２３ｐ及び取出配線２４ｐが第１電極列２７ｐと絶縁されるように第１電極列２７ｐの間に配設されている。なお、図示はしていないが、第１電極群２７Ａ及び第２電極群２７Ｂは、他の取り出し配線を用いて、静電容量検出回路Ｃ２１に電気的に接続されている。
【００５４】
静電容量検出電極２７（２７ａ、２７ｂ）、連結部（２８ａ、２８ｂ）、取出配線２３ｐ及び取出配線２４ｐは、銅または銅合金からなり、銅または銅合金の箔をフォトリソグラフィーを用いてパターニングすることにより得ることができる。このような構成は、所謂両面プリント配線基板（ＰＣＢ；Printed Circuit Board）を用いることによって容易に達成することができる。
【００５５】
静電容量検出回路Ｃ２１は、集積回路（ＩＣ、Integrated Circuit）等を用いて構成されており、隣り合う第１電極列２７ｐの静電容量検出電極２７ａと第２電極列２７ｒの静電容量検出電極２７ｂとの間に生じる静電容量を検出している。例えば、ユーザの指（操作体ＳＴ）が静電容量検出電極２７ａと静電容量検出電極２７ｂ間の上に存在した場合、静電容量検出電極２７ａと静電容量検出電極２７ｂ間の静電容量は、ユーザの指（操作体ＳＴ）の存在する前後で変化するので、この容量変化から指等の存在位置を特定することができる。しかも、静電容量検出電極２７ａと静電容量検出電極２７ｂを交互で格子状に配設しているので、Ｘ−Ｙ座標系の位置情報として、ユーザの指（操作体ＳＴ）の存在位置を検出することができる。
【００５６】
制御回路Ａ２１は、図８に示すように、プッシュ検出機構Ｐ２１からの検出結果を受信するとともに、静電容量検出回路Ｃ２１から出力される信号を受信している。また、制御回路Ａ２１は、静電容量検出回路Ｃ２１から出力される信号を判断して、操作体ＳＴの位置を検出し、プッシュ検出機構Ｐ２１の検出結果をトリガーとして、操作体ＳＴのプッシュスイッチ２１との位置により、適用される電子機器に複数種類の信号を出力している。これにより、この複数種類の出力信号を用いて、適用される電子機器に複数の操作機能を付与することができる。
【００５７】
上述で説明してきた本発明の第２実施形態の多操作機能付きスイッチ装置１０２も第１実施形態と同様に、説明を容易にするため、多操作機能付きスイッチ装置１０２は、プッシュスイッチ２１が１つで、プッシュスイッチ２１の周囲に複数の静電容量検出電極２７が配置された例をあげて説明したが、プッシュスイッチ２１が１つに限るものではなく、複数の場合も本発明の技術的範囲に属する。
【００５８】
次に、本発明の第２実施形態の多操作機能付きスイッチ装置１０２における信号出力方式について説明する。図１５は、本発明の第２実施形態の多操作機能付きスイッチ装置を説明する図であって、プッシュスイッチ２１と静電容量検出電極２７を示した平面模式図である。
【００５９】
本発明の第２実施形態の多操作機能付きスイッチ装置１０２は、ユーザの指（操作体ＳＴ）によりプッシュスイッチ２１が押されると、接点ばね２２が中央固定接点部２４に接触し、プッシュ検出機構Ｐ２１からプッシュスイッチ２１が押されたという検出結果が制御回路Ａ２１に送信される。一方、ユーザの指（操作体ＳＴ）がプッシュスイッチ２１から離されると、接点ばね２２が中央固定接点部２４から離れて、プッシュ検出機構Ｐ２１からプッシュスイッチ２１が押されていないという検出結果が制御回路Ａ２１に送信される。
【００６０】
一方、ユーザの指（操作体ＳＴ）がプッシュスイッチ２１を押す直前の所定時間内において、プッシュスイッチ２１から見たある方向、例えば、図１５に示す方向ＸＹ２に、ユーザの指（操作体ＳＴ）が存在した場合（図１５に示すＱ）、ユーザの指（操作体ＳＴ）の存在により、静電容量検出電極２７ａと静電容量検出電極２７ｂ間の静電容量が大きく変化する。その際に、制御回路Ａ２１は、静電容量検出回路Ｃ２１から出力される信号を判断して、つまり、このユーザの指（操作体ＳＴ）の存在する前後の容量変化の信号を判断して、ユーザの指（操作体ＳＴ）の存在位置を検出し、ユーザの指（操作体ＳＴ）が存在した方向ＹＸ２（存在方向）を検出する。
【００６１】
また、ユーザの指（操作体ＳＴ）がプッシュスイッチ２１押した後の所定時間内において、プッシュスイッチ２１から見たある方向、例えば、図１５に示す方向ＸＸ２に、ユーザの指（操作体ＳＴ）が移動された場合（図１５に示すＲ）、ユーザの指（操作体ＳＴ）の存在により、静電容量検出電極２７ａと静電容量検出電極２７ｂ間の静電容量が大きく変化する。その際に、制御回路Ａ２１は、静電容量検出回路Ｃ２１から出力される信号を判断して、つまり、このユーザの指（操作体ＳＴ）の存在する前後の容量変化の信号を判断して、ユーザの指（操作体ＳＴ）の存在位置を検出し、ユーザの指（操作体ＳＴ）が移動した方向ＸＸ２（移動方向）を検出する。
【００６２】
最後に、ユーザの指（操作体ＳＴ）が存在した方向（図１５では方向ＸＹ２）や移動した方向（図１５では方向ＸＸ２）と、予め記憶部に格納されていた情報とを対応させ、適用される電子機器にある命令信号を出力する。
【００６３】
図１５に示す例では、方向ＸＹ２に存在した存在方向と方向ＸＸ２へ移動した移動方向の例を示したが、本発明の第２実施形態では、静電容量検出電極２７ａと静電容量検出電極２７ｂを交互で格子状に配設しているので、ユーザの指（操作体ＳＴ）がいずれの位置に存在しても、狭い範囲でユーザの指（操作体ＳＴ）の存在範囲を特定することができる。このため、様々な存在方向や移動方向を検出することができ、誤作動を少なくすることができる。また、このユーザの指（操作体ＳＴ）の存在方向及び移動方向を様々組み合わせることで、図１５に示す８方向以外の他の方向も確実に検出することができる。これにより、適用される電子機器に８種類以上の命令信号を出力することができる。また、本発明の第２実施形態の多操作機能付きスイッチ装置１０２では、従来例の範囲の狭い特定位置を検出する場合と比較して、小型化が図られていても、確実に移動方向が検出できる構造となっている。これにより、スイッチを小さくしても、適用される電子機器に複数種類の信号を出力することができる。
【００６４】
以上により、本発明の第２実施形態の多操作機能付きスイッチ装置１０２は、プッシュスイッチ２１の周囲に配置された複数の静電容量検出電極２７の静電容量を静電容量検出回路Ｃ２１で検出し、その信号から操作体ＳＴの位置を制御回路Ａ２１が検出することができる。そして、プッシュスイッチ２１が押された検出結果をトリガーとして、制御回路Ａ２１がその時の操作体ＳＴのプッシュスイッチ２１との位置を確実に検出することができる。このため、誤作動を少なくすることができて、検出結果とプッシュスイッチ２１との位置とを組み合わせて、適用される電子機器に複数種類の信号を出力することができる。これにより、複数種類の出力信号を用いることができ、適用される電子機器に複数の操作機能を付与することができる。したがって、スイッチを小さくしても、誤作動を少なくすることができる多操作機能付きスイッチ装置１０２を提供することができる。
【００６５】
また、プッシュ検出機構Ｐ２１がプッシュスイッチ２１が押されてことを検知した前後の所定時間内において、制御回路Ａ２１がその時の操作体ＳＴのプッシュスイッチ２１との位置を検出する。このため、操作体ＳＴが存在した存在方向或いは移動した移動方向を検出できるので、プッシュスイッチ２１が押された前後で、操作体ＳＴが存在或いは移動した方向の判定が確実できる。このことにより、スイッチを小さくしても、誤作動を少なくすることができて、その時の操作体ＳＴの存在方向或いは移動方向、または両者を組み合わせることから、適用される電子機器に複数種類の信号を出力することができる。
【００６６】
［第３実施形態］
図１６は、本発明の第３実施形態の多操作機能付きスイッチ装置１０３を説明する図であって、その構成を示した概念図である。なお、説明を容易にするため、プッシュスイッチ１１の部分のみを示しており、プッシュ検出機構Ｐ３１、静電容量検出回路Ｃ３１及び制御回路Ａ３１やこれらとの接続のための配線等を省略している。図１７は、本発明の第３実施形態の多操作機能付きスイッチ装置を説明する図であって、プッシュスイッチ１１と静電容量検出電極１７を示した平面模式図である。また、第３実施形態の多操作機能付きスイッチ装置１０３は、第１実施形態に対し、信号出力方式が主に異なる。なお、第１実施形態と同一構成については、同一符号を付して詳細な説明は省略する。
【００６７】
本発明の第３実施形態の多操作機能付きスイッチ装置１０３は、図１６に示すように、ユーザが操作体ＳＴを用いて操作するプッシュスイッチ１１と、プッシュスイッチ１１が作動されたことを検知するプッシュ検出機構Ｐ３１と、プッシュスイッチ１１の周囲に配置された複数の静電容量検出電極１７と、静電容量検出電極１７の静電容量を検出する静電容量検出回路Ｃ３１と、プッシュ検出機構Ｐ３１の検出結果と静電容量検出回路Ｃ３１の出力する信号とから、複数種類の信号を出力する制御回路Ａ３１と、を備えて構成される。
【００６８】
本発明の第３実施形態の多操作機能付きスイッチ装置１０３は、ユーザの指（操作体ＳＴ）によりプッシュスイッチ１１が押されると、接点ばね１２が中央固定電極１４に接触し、プッシュ検出機構Ｐ３１からプッシュスイッチ１１が押されたという検出結果が制御回路Ａ３１に送信される。また、ユーザの指（操作体ＳＴ）がプッシュスイッチ１１から離されると、接点ばね１２が中央固定電極１４から離れて、プッシュ検出機構Ｐ３１からプッシュスイッチ１１が押されていないという検出結果が制御回路Ａ３１に送信される。
【００６９】
一方、ユーザの指（操作体ＳＴ）がプッシュスイッチ１１を押す直前の所定時間内において、プッシュスイッチ１１から見たある方向、例えば、図１７に示す方向ＸＸ１に、ユーザの指（操作体ＳＴ）が存在した場合（図１７に示すＳ）、ユーザの指（操作体ＳＴ）の存在により、静電容量検出電極１７ｂの静電容量が大きく変化する。その際に、制御回路Ａ３１は、静電容量検出回路Ｃ３１から出力される信号を判断して、つまり、このユーザの指（操作体ＳＴ）の存在する前後の容量変化の信号を判断して、ユーザの指（操作体ＳＴ）の存在位置を検出し、ユーザの指（操作体ＳＴ）が存在した方向ＸＸ１（存在方向）を検出する。
【００７０】
最後に、ユーザの指（操作体ＳＴ）が存在した方向（図１７では方向ＸＸ１）と予め記憶部に格納されていた情報とを対応させ、適用される電子機器にある命令信号を出力する。
【００７１】
図１７に示す例では、方向ＸＸ１に存在した存在方向の例を示したが、ユーザの指（操作体ＳＴ）が存在した位置で、他の方向ＹＹ１、方向ＹＸ１、方向ＸＹ２、方向ＹＹ２、方向ＹＸ２、方向ＸＸ２及び方向ＸＹ１と合わせた８通りの移動方向を確実に検出することができる。これにより、誤作動を少なくすることができて、適用される電子機器に８種類の命令信号を出力することができる。また、本発明の第３実施形態の多操作機能付きスイッチ装置１０３では、従来例の範囲の狭い特定位置を検出する場合と比較して、小型化が図られていても、確実に移動方向が検出できる構造となっている。これにより、スイッチを小さくしても、適用される電子機器に複数種類の信号を出力することができる。
【００７２】
以上により、本発明の第３実施形態の多操作機能付きスイッチ装置１０３は、プッシュスイッチ１１の周囲に配置された複数の静電容量検出電極１７の静電容量を静電容量検出回路Ｃ３１で検出し、その信号から操作体ＳＴの位置を制御回路Ａ３１が検出することができる。そして、プッシュスイッチ１１が押された検出結果をトリガーとして、制御回路Ａ３１がその時のプッシュスイッチ１１からの操作体ＳＴの位置を確実に検出することができる。このため、誤作動を少なくすることができて、検出結果とプッシュスイッチ１１との位置とを組み合わせて、適用される電子機器に複数種類の信号を出力することができる。これにより、複数種類の出力信号を用いることができ、適用される電子機器に複数の操作機能を付与することができる。したがって、スイッチを小さくしても、誤作動を少なくすることができる多操作機能付きスイッチ装置１０３を提供することができる。
【００７３】
また、プッシュ検出機構Ｐ３１がプッシュスイッチ１１が押されたことを検知した時点からそれ以前の所定時間内において、制御回路Ａ３１がその時の操作体ＳＴのプッシュスイッチ１１との位置を検出している。このため、その時の操作体ＳＴが存在した存在方向を検出できるので、プッシュスイッチ１１が押される前に、操作体ＳＴが存在した方向の判定が確実にできる。このことにより、スイッチを小さくしても、誤作動を少なくすることができて、その時の操作体ＳＴの存在方向から、適用される電子機器に複数種類の信号を出力することができる。
【００７４】
なお、本発明は上記実施形態に限定されるものではなく、例えば次のように変形して実施することができ、これらの実施形態も本発明の技術的範囲に属する。
【００７５】
図１８は、本発明の第１実施形態の多操作機能付きスイッチ装置１０１の変形例１を説明する図であって、絶縁基板Ｃ１９の平面図である。
【００７６】
＜変形例１＞
上記第１実施形態では、プッシュスイッチ１１の周囲に４つの静電容量検出電極（１７ａ、１７ｂ、１７ｃ、１７ｄ）を配置する構成にしたが、図１８に示すように、８つの静電容量検出電極（Ｃ１７ａ、Ｃ１７ｂ、Ｃ１７ｃ、Ｃ１７ｄ、Ｃ１７ｅ、Ｃ１７ｆ、Ｃ１７ｇ、Ｃ１７ｈ）を配置する構成に構成しても良い。これにより、少なくとも１６種類以上の信号を、適用される電子機器に出力することができる。
【００７７】
＜変形例２＞
上記第１実施形態の４つの静電容量検出電極（１７ａ、１７ｂ、１７ｃ、１７ｄ）の内、少なくとも１つを駆動電極と兼用させ、少なくとも１つを静電容量検出電極のみの機能を与えた構成としても良い。これにより、駆動電圧をかけながら、少なくとも１つの静電容量検出電極からの静電容量を測定することで、静電容量の検出精度を向上させることができる。
【００７８】
本発明は上記実施の形態に限定されず、本発明の目的の範囲を逸脱しない限りにおいて適宜変更することが可能である。
【符号の説明】
【００７９】
１１、２１  プッシュスイッチ
１７、１７ａ、１７ｂ、１７ｄ、Ｃ１７ａ、Ｃ１７ｂ、Ｃ１７ｃ、Ｃ１７ｄ、
Ｃ１７ｅ、Ｃ１７ｆ、Ｃ１７ｇ、Ｃ１７ｈ、２７、２７ａ、２７ｂ  静電容量検出電極
Ａ１１、Ａ２１、Ａ３１  制御回路
Ｃ１１、Ｃ２１、Ｃ３１  静電容量検出回路
Ｐ１１、Ｐ２１、Ｐ３１  プッシュ検出機構
ＳＴ  操作体
１０１、１０２、１０３  多操作機能付きスイッチ装置
【図１】
2014154322.tif 000003
【図２】
2014154322.tif 000004
【図３】
2014154322.tif 000005
【図４】
2014154322.tif 000006
【図５】
2014154322.tif 000007
【図６】
2014154322.tif 000008
【図７】
2014154322.tif 000009
【図８】
2014154322.tif 000010
【図９】
2014154322.tif 000011
【図１０】
2014154322.tif 000012
【図１１】
2014154322.tif 000013
【図１２】
2014154322.tif 000014
【図１３】
2014154322.tif 000015
【図１４】
2014154322.tif 000016
【図１５】
2014154322.tif 000017
【図１６】
2014154322.tif 000018
【図１７】
2014154322.tif 000019
【図１８】
2014154322.tif 000020
【図１９】
2014154322.tif 000021